【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
ケーブルを装置へと接続するためのケーブル接続アセンブリであって、前記ケーブル接続アセンブリは、
前記装置および前記ケーブルに密に係合するように構成されたカラーを備えており、前記カラーは、固定的な噛み合いへと前記カラーとファスナとを回転させることによって、前記ケーブル上に製造された絶縁層から形成されたねじ部で、前記ケーブルと固定的に噛み合う、前記カラー上に形成されたファスナを有しているケーブル接続アセンブリ。
【請求項２】
前記装置は、もう１つのケーブルへと密に接続されるように構成されたスリーブである請求項１に記載のケーブル接続アセンブリ。
【請求項３】
前記装置は、行き止まりシールである請求項１に記載のケーブル接続アセンブリ。
【請求項４】
前記ねじ部は前記ケーブルの絶縁層から形成されている請求項１に記載のケーブル接続アセンブリ。
【請求項５】
前記ファスナは、前記カラーの内側通路に形成された雌ねじ部であって、前記ケーブルの前記ねじ部と協働して固定の係合を達成するように構成された雌ねじ部を含んでいる請求項４に記載のケーブル接続アセンブリ。
【請求項６】
前記ケーブルを前記スリーブへと電気的に接続するための電気連続接続アセンブリをさらに備えている請求項１に記載のケーブル接続アセンブリ。
【請求項７】
前記電気連続接続アセンブリは、前記スリーブが前記カラーに密に係合したときに、圧縮されて前記カラーを前記スリーブへと電気的に接続するように構成された圧縮可能装置を含んでいる請求項６に記載のケーブル接続アセンブリ。
【請求項８】
前記カラーは、前記カラーを前記ケーブルの導体へと物理的および電気的に接続するための固定アセンブリを含んでいる請求項１に記載のケーブル接続アセンブリ。
【請求項９】
ケーブルのためのケーブル接続アセンブリであって、
（ａ）カラーは、前記カラー上に形成されたファスナを含んでおり、前記ファスナは、前記ファスナを前記ケーブル上に製造された絶縁層から形成されたねじ部に対して回転させることによって前記ケーブルへと接続されるように構成されているカラー、および
（ｂ）前記カラーに密に係合して、前記ケーブルの端部が少なくとも部分的に配置されるように構成された空洞を定めるように構成されているスリーブ、
を備えているケーブル接続アセンブリ。
【請求項１０】
前記スリーブは、スライドして前記カラー上に迎えられるように構成されている請求項９に記載のケーブル接続アセンブリ。
【請求項１１】
前記カラーは、前記スリーブの中へと完全にスライドさせられるように構成されている請求項９に記載のケーブル接続アセンブリ。
【請求項１２】
前記カラーは、前記スリーブを選択的に変形させることができるようにするための凹所を含んでおり、前記スリーブの一部分が前記凹所へと延びて前記スリーブを前記カラーへと接続する請求項９に記載のケーブル接続アセンブリ。
【請求項１３】
前記ファスナは、雌ねじを備えている請求項９に記載のケーブル接続アセンブリ。
【請求項１４】
前記カラーは、前記スリーブおよび前記カラーに密に係合するように構成されたシールを含んでいる請求項９に記載のケーブル接続アセンブリ。
【請求項１５】
前記カラーは、前記ケーブルおよび前記カラーに密に係合するように構成されたさらなるシールを含んでいる請求項１４に記載のケーブル接続アセンブリ。
【請求項１６】
前記ケーブルを前記スリーブへと電気的に接続するための電気連続接続アセンブリをさらに備えている請求項９に記載のケーブル接続アセンブリ。
【請求項１７】
前記電気連続接続アセンブリは、前記スリーブが前記カラーに密に係合したときに、圧縮されて前記カラーを前記スリーブへと電気的に接続するように構成された圧縮可能装置を含んでいる請求項１６に記載のケーブル接続アセンブリ。
【請求項１８】
前記カラーは、前記カラーを前記ケーブルの導体へと物理的および電気的に接続するための固定アセンブリを含んでいる請求項９に記載のケーブル接続アセンブリ。
【請求項１９】
電流を運ぶための第１の導体であって、第１の管ファスナを有する第１の絶縁管によって絶縁されている第１の導体を、電流を運ぶための第２の導体であって、第２の管ファスナを有する第２の絶縁管によって絶縁されている第２の導体へと接続するためのケーブル接続アセンブリであって、
（ａ）第１のカラーと、
（ｂ）第２のカラーと、
（ｃ）スリーブと
を備えており、
前記第１のカラーは、
（ｉ）外表面、
（ｉｉ）前記第１の導体を通すことができるよう、前記第１のカラーを軸方向に通過する通路を定めている内表面、
（ｉｉｉ）前記第１の管ファスナに対して回転させられることによって前記第１の管ファスナへと接続されるように構成されている第１のカラー・ファスナ、および
（ｉｖ）前記外表面に配置されたシール
を備えており、
前記第２のカラーは、
（ｉ）外表面、
（ｉｉ）前記第２の導体を通すことができるよう、前記第２のカラーを軸方向に通過する通路を定めている内表面、
（ｉｉｉ）前記第２の管ファスナに対して回転させられることによって前記第２の管ファスナへと接続されるように構成されている第２のカラー・ファスナ、および
（ｉｖ）前記外表面に配置されたシール
を備えており、
前記スリーブは、自身を通過する通路を有しており、前記通路は、前記第１および第２の導体を少なくとも部分的に受け入れるように構成されており、
前記スリーブは、前記第１のカラーの外表面に配置されたシールおよび前記第２のカラーの外表面に配置されたシールに密に係合するように構成されているケーブル接続アセンブリ。
【請求項２０】
前記第１および第２のカラー・ファスナは、雌ねじを備えている請求項１９に記載のケーブル接続アセンブリ。
【請求項２１】
前記第１のカラーは、前記第１のカラーおよび前記第１の絶縁管に密に係合するように構成されたさらなるシールを含んでいる請求項１９に記載のケーブル接続アセンブリ。
【請求項２２】
前記第１のカラーを前記スリーブへと電気的に接続するための圧縮可能装置を有している電気連続接続アセンブリをさらに備えている請求項１９に記載のケーブル接続アセンブリ。
【請求項２３】
前記第１のカラーを前記第１の導体へと物理的および電気的に接続するための固定アセンブリをさらに備えている請求項１９に記載のケーブル接続アセンブリ。
【請求項２４】
ケーブルを装置へと接続する方法であって、前記方法は、
（ａ）カラー上に形成されたファスナを有する前記カラーを、前記カラーの前記ファスナが前記ケーブル上に製造された絶縁層から形成されたねじ部に固定的に係合するように、回転させること、および
（ｂ）前記装置を前記カラーへと密に結合させること
を備えている方法。
【請求項２５】
前記装置を、前記カラーの少なくとも一部分が前記装置の内側に位置するように、前記カラーとの密な係合へとスライドさせること
をさらに備えている請求項２４に記載の方法。
【請求項２６】
第２のケーブルを第２のカラーへと接続し、前記装置を前記第２のカラーへと密に係合させる請求項２４に記載の方法。
【請求項２７】
前記装置が、行き止まりのシールである請求項２４に記載の方法。
【請求項２８】
さらなるシールを前記ケーブルおよび前記カラーとの密な係合に配置すること
をさらに備えている請求項２４に記載の方法。
【請求項２９】
前記カラーと前記スリーブとの間に配置される圧縮可能装置を使用して、前記ケーブルを前記スリーブへと電気的に接続すること
をさらに備えている請求項２４に記載の方法。
【請求項３０】
前記カラーを導体へと物理的および電気的に接続するため、１つ以上のファスナを使用すること
をさらに備えている請求項２４に記載の方法。
【請求項３１】
ケーブルを装置へと接続する方法であって、前記方法は、
（ａ）カラー上に形成されたファスナを有する前記カラーを、前記カラーの前記ファスナが前記ケーブル上に製造された絶縁層から形成されたねじ部に固定的に係合するように回転させること、
（ｂ）前記装置を前記カラーへと密に結合させること、および
（ｃ）前記カラーの少なくとも一部分が前記装置の内部に配置されるように、前記装置を前記カラーとの密な係合へとスライドさせること、
を備えている方法。